(57)【要約】【課題】使用目的に応じた使用方法を選択することができる被服展示装置を提供する。【解決手段】脚付根部１から上方の上半身２を有するマネキンボディ３の底面４に、支柱取付部材５を固着する。支柱取付部材５が、マネキンボディ３の背部８に配設される倒立Ｕ字型部９と倒立Ｕ字型部９に連設されてマネキンボディ３の股部10を載置する水平部11と水平部11から立設された鉛直保持杆12を有する中央用支柱13を着脱自在に挿入可能な鉛直状中央挿入孔６と、偏心用支柱を着脱自在に挿入可能な左右少なくとも一方の鉛直状偏心挿入孔７とを、具備する。前方から見て、支柱取付部材５の左右方向中央部Ａが凹状とされている。【選択図】図３
2010179019.tif 000002
【特許請求の範囲】
【請求項１】
脚付根部（１）から上方の上半身（２）を有するマネキンボディ（３）の底面（４）に、支柱取付部材（５）を固着し、該支柱取付部材（５）が、鉛直状中央挿入孔（６）と、左右少なくとも一方の鉛直状偏心挿入孔（７）とを、具備することを特徴とする被服展示装置。
【請求項２】
脚付根部（１）から上方の上半身（２）を有するマネキンボディ（３）の底面（４）に、支柱取付部材（５）を固着し、該支柱取付部材（５）が、上記マネキンボディ（３）の背部（８）に配設される倒立Ｕ字型部（９）と該倒立Ｕ字型部（９）に連設されて上記マネキンボディ（３）の股部（10）を載置する水平部（11）と該水平部（11）から立設された鉛直保持杆（12）を有する中央用支柱（13）を着脱自在に挿入可能な鉛直状中央挿入孔（６）と、偏心用支柱（14）を着脱自在に挿入可能な左右少なくとも一方の鉛直状偏心挿入孔（７）とを、具備することを特徴とする被服展示装置。
【請求項３】
前方から見て、上記支柱取付部材（５）の下面の左右方向中央部（Ａ）を凹状とした請求項１又は２記載の被服展示装置。
【請求項４】
上記支柱取付部材（５）の上記偏心挿入孔（７）を左右両方に設けると共に、両方の該偏心挿入孔（７）の各々に着脱自在に挿入して吊下状に取着される脚部材（15）を備えた請求項１，２又は３記載の被服展示装置。
【請求項５】
上記脚部材（15）は、脚形状に成型されたプラスチック脚体（16）と、該脚体（16）に上方から挿入されると共に上記偏心挿入孔（７）へ挿入される金属杆（17）と、上記脚体（16）の上端（18）に固着されると共に上記金属杆（17）が挿入深さ寸法（Ｈ）を調整自在として固着可能な伸縮調整具（19）と、を備えている請求項４記載の被服展示装置。
【発明の詳細な説明】
【技術分野】
【０００１】
本発明は、被服展示装置に関する。
【背景技術】
【０００２】
従来、脚付根部から上方の上半身を有するマネキンボディの立設構造には、マネキンボディの底面の片脚側のみに支柱を固着するもの（例えば、特許文献１参照）や、図９に示すようにマネキンボディの底面の中央部に支柱を固着するものがある。
【０００３】
しかし、前者は、スラックス等の衣装をディスプレイする際にスタンドからマネキンボディを取り外さないと衣装を装着することができないという欠点がある。また、後者は、特に後方から支柱の大部分が見えてしまうという欠点がある。
【先行技術文献】
【特許文献】
【０００４】
【特許文献１】実用新案登録第３１１８４２８号公報
【発明の概要】
【発明が解決しようとする課題】
【０００５】
解決しようとする課題は、マネキンボディの底面の片脚側のみに支柱を固着するものでは、スラックス等の衣装をディスプレイする際にスタンドからマネキンボディを取り外さないと衣装を装着することができず、かつ、スラックスを装着する際、必ずスラックスの片脚に支柱を通す必要がある点である。また、マネキンボディの底面の中央部に支柱を固着するものでは、特に後方から支柱の大部分が見えて外観が悪い点である。
【課題を解決するための手段】
【０００６】
そこで、本発明に係る被服展示装置は、脚付根部から上方の上半身を有するマネキンボディの底面に、支柱取付部材を固着し、該支柱取付部材が、鉛直状中央挿入孔と、左右少なくとも一方の鉛直状偏心挿入孔とを、具備するものである。
また、脚付根部から上方の上半身を有するマネキンボディの底面に、支柱取付部材を固着し、該支柱取付部材が、上記マネキンボディの背部に配設される倒立Ｕ字型部と該倒立Ｕ字型部に連設されて上記マネキンボディの股部を載置する水平部と該水平部から立設された鉛直保持杆を有する中央用支柱を着脱自在に挿入可能な鉛直状中央挿入孔と、偏心用支柱を着脱自在に挿入可能な左右少なくとも一方の鉛直状偏心挿入孔とを、具備するものである。
【０００７】
また、前方から見て、上記支柱取付部材の下面の左右方向中央部を凹状としたものである。
また、上記支柱取付部材の上記偏心挿入孔を左右両方に設けると共に、両方の該偏心挿入孔の各々に着脱自在に挿入して吊下状に取着される脚部材を備えたものである。
また、上記脚部材は、脚形状に成型されたプラスチック脚体と、該脚体に上方から挿入されると共に上記偏心挿入孔へ挿入される金属杆と、上記脚体の上端に固着されると共に上記金属杆が挿入深さ寸法を調整自在として固着可能な伸縮調整具と、を備えているものである。
【発明の効果】
【０００８】
本発明の被服展示装置によれば、使用目的に合わせてその時々に上記欠点を補うことができる。すなわち、使用目的に応じた使用方法を選択することができる。
【図面の簡単な説明】
【０００９】
【図１】本発明の第１の実施の形態の使用状態の一例を示す正面図である。
【図２】使用状態の他例を示す正面図である。
【図３】中央立設状態を示す透視斜視図である。
【図４】偏心立設状態を示す透視斜視図である。
【図５】要部拡大一部透視説明図である。
【図６】支柱取付部材を示す断面正面図である。
【図７】第２の実施の形態を示す斜視図である。
【図８】第３の実施の形態を示す正面図である。
【図９】従来例を示す断面図である。
【発明を実施するための形態】
【００１０】
図１は、本発明の第１の実施の形態の使用状態の一例（中央立設状態）を示す。図２は、本発明の第１の実施の形態の使用状態の他例（偏心立設状態）を示す。すなわち、この被服展示装置は、前方から見て左右方向中央位置に支柱（中央用支柱13）が配設される中央立設状態（図３）と、前方から見て左右方向いずれかに偏心した位置に支柱（偏心用支柱14）が配設される偏心立設状態（図４）を、選択可能に使用することができる。Ｚはスラックスを示す。
【００１１】
脚付根部１から上方の上半身２を有するマネキンボディ３の底面４に、図５・図６に示すような支柱取付部材５が固着されている。支柱取付部材５が、鉛直状中央挿入孔６と、左右少なくとも一方の鉛直状偏心挿入孔７とを、具備する。図６の24ａは中央用支柱13の着脱に関するネジを示し、24ｂは偏心用支柱14の着脱に関するネジを示す。
【００１２】
具体的には、支柱取付部材５が、マネキンボディ３（図３・図４参照）の背部８に配設される倒立Ｕ字型部９と倒立Ｕ字型部９に連設されてマネキンボディ３の股部10を載置する水平部11と水平部11から立設された鉛直保持杆12を有する中央用支柱13を着脱自在に挿入可能な鉛直状中央挿入孔６と、偏心用支柱14を着脱自在に挿入可能な左右少なくとも一方の鉛直状偏心挿入孔７とを、具備する。前方から見て、支柱取付部材５の左右方向中央部Ａが凹状とされている。
【００１３】
また、図３と図４に示すように、マネキンボディ３の背部８には、下端から中間部まで、（背骨位置に沿って、）倒立Ｕ字型部９に対応した縦凹溝30が形成される。これによって隙間25が十分に形成できて、シャツ等の上着をこの隙間25にも差込んで、着せやすい。さらに、図３と図４の図例よりも、縦凹溝30を深く形成すると共に、その縦凹溝30内へ倒立Ｕ字型部９が対応するように構成するのも好ましく（図示省略）、倒立Ｕ字型部９の背面９Ｂが、マネキンボディ３の背部８と略同一面状として、シャツ等の上着の背面を（膨出せずに）美しく見せるようにできる。さらに、ズボンやスカート等の上端縁を、倒立Ｕ字型部９の下方開口状の差込スリット９Ｃに差込しやすく、かつ、着せた状態のズボンやスカート等の上端縁背部が整然として展示できる。
【００１４】
図７は、第２の実施の形態を示す。支柱取付部材５の偏心挿入孔７を左右両方に設けると共に、両方の偏心挿入孔７の各々に着脱自在に挿入して吊下状に取着される脚部材15を備えている。具体的には、脚部材15は、脚形状に成型されたプラスチック脚体16と、脚体16に上方から挿入されると共に偏心挿入孔７へ挿入される金属杆17と、脚体16の上端18に固着されると共に金属杆17が挿入深さ寸法Ｈを調整自在として固着可能な伸縮調整具19と、を備えている。その他の構成は、第１の実施の形態と同様である。なお、この実施の形体では、中央用支柱13を用いる。
【００１５】
図８は、第３の実施の形態を示す。シャツＳや靴Ｋ等の衣類Ｅを載置する載置台20と、鉛直状偏心挿入孔７（図５・図６参照）に着脱自在に挿入して取着する支持杆21を有する衣類載置具22、及び、鉛直状中央挿入孔６（又は鉛直状偏心挿入孔７）に着脱自在に挿入して取着する卓上スタンド23を、備える。その他の構成は、第１の実施の形態と同様である。
【００１６】
なお、本発明は、設計変更可能であって、鉛直状中央挿入孔６に取着自在に挿入して取着する卓上スタンド23を備え、かつ、衣類載置具22を具備しないものとするも良い。
【００１７】
以上のように、本発明は、脚付根部１から上方の上半身２を有するマネキンボディ３の底面４に、支柱取付部材５を固着し、支柱取付部材５が、鉛直状中央挿入孔６と、左右少なくとも一方の鉛直状偏心挿入孔７とを、具備するので、使用目的に応じた使用方法を選択することができる。すなわち、着せ替えを頻繁に行う場合には、マネキンボディ３を中央用支柱13から取り外さなくてもスラックス等を着せ替えられる中央立設状態として使用することができるとともに、着せ替えが頻繁ではなくウインドウや店頭で商品をきれいにディスプレイしたい場合には、構造上リーズナブルで 360°ディスプレイがきれいな（外観が良い）偏心立設状態として使用することができる。そして、幅広い用途に対応させることができる。
また、図３と図５に例示した中央立設状態に於て、倒立Ｕ字型部９の差込スリット９Ｃに、（中央用支柱13とマネキンボディ３を取付けたままで、）ズボン〈スラックス）やスカートの上端縁を下方から差込んで、取着できて、至便である。
【００１８】
また、脚付根部１から上方の上半身２を有するマネキンボディ３の底面４に、支柱取付部材５を固着し、支柱取付部材５が、マネキンボディ３の背部８に配設される倒立Ｕ字型部９と倒立Ｕ字型部９に連設されてマネキンボディ３の股部10を載置する水平部11と水平部11から立設された鉛直保持杆12を有する中央用支柱13を着脱自在に挿入可能な鉛直状中央挿入孔６と、偏心用支柱14を着脱自在に挿入可能な左右少なくとも一方の鉛直状偏心挿入孔７とを、具備するので、使用目的に応じた使用方法を選択することができる。すなわち、着せ替えを頻繁に行う場合には、マネキンボディ３を中央用支柱13から取り外さなくてもスラックス等を着せ替えられる中央立設状態として使用することができるとともに、着せ替えが頻繁ではなくウインドウや店頭で商品をきれいにディスプレイしたい場合には、構造上リーズナブルで 360°ディスプレイがきれいな（外観が良い）偏心立設状態として使用することができる。そして、幅広い用途に対応させることができる。
【００１９】
また、（図９に示した従来のように背中側からマネキンボディＭに挿入杆Ｘを挿入するのではなく）下方からマネキンボディ３に鉛直保持杆12を挿入するので、がたつきが少ない。すなわち、中央立設状態に於て、鉛直保持杆12を中央挿入孔６に挿入してマネキンボディ３に中央用支柱13を取着するので、倒立Ｕ字型部９とマネキンボディ３の背部８との間に隙間25（図３参照）を設けてシャツＳ等を着せやすくすることができるとともに、マネキンボディ３のがたつきを防止することができる。
【００２０】
また、前方から見て、支柱取付部材５の下面（底壁）の左右方向中央部Ａを凹状としたので、中央用支柱13や偏心用支柱14の着脱の際に支柱取付部材５が邪魔にならず容易かつ迅速に中央用支柱13や偏心用支柱14の着脱を行なうことができる。たとえば、ネジ24ａ、ネジ24ｂを締めたり緩めたりする操作が容易になり、偏心用支柱14の着脱を容易かつ迅速に行なうことができる。また、股上を十分に作り得るので、スラックスＺを美しくディスプレイすることができる。
【００２１】
また、支柱取付部材５の偏心挿入孔７を左右両方に設けると共に、両方の偏心挿入孔７の各々に着脱自在に挿入して吊下状に取着される脚部材15を備えたので、中央立設状態の場合に、脚部材15を取着して、よりリアルなマネキンとすることができる。
また、脚部材15は、脚形状に成型されたプラスチック脚体16と、脚体16に上方から挿入されると共に偏心挿入孔７へ挿入される金属杆17と、脚体16の上端18に固着されると共に金属杆17が挿入深さ寸法Ｈを調整自在として固着可能な伸縮調整具19と、を備えているので、脚部材15の全体長さ寸法Ｌ（図７参照）を変更することができる。
【符号の説明】
【００２２】
１  脚付根部
２  上半身
３  マネキンボディ
４  底面
５  支柱取付部材
６  （鉛直状）中央挿入孔
７  （鉛直状）偏心挿入孔
８  背部
９  倒立Ｕ字型部
10  股部
11  水平部
12  鉛直保持杆
13  中央用支柱
14  偏心用支柱
15  脚部材
16  （プラスチック）脚体
17  金属杆
18  上端
19  伸縮調整具
Ａ  左右方向中央部
Ｈ  挿入深さ寸法
【図１】
2010179019.tif 000003
【図２】
2010179019.tif 000004
【図３】
2010179019.tif 000005
【図４】
2010179019.tif 000006
【図５】
2010179019.tif 000007
【図６】
2010179019.tif 000008
【図７】
2010179019.tif 000009
【図８】
2010179019.tif 000010
【図９】
2010179019.tif 000011